【手続補正書】
【提出日】平成18年6月16日(2006.6.16)
【手続補正１】
【補正対象書類名】明細書
【補正対象項目名】特許請求の範囲
【補正方法】変更
【補正の内容】
【特許請求の範囲】
【請求項１】  複数のピクチャから構成される動画像のピクチャ符号化信号を復号化する復号化方法であって、
ピクチャ符号化信号からピクチャを復号化し、
復号化されたピクチャが非参照ピクチャであるとき、前記復号化された非参照ピクチャが即座に表示可能であるか否かを判定し、
前記復号化された非参照ピクチャが即座に表示可能でない場合、前記復号化された非参照ピクチャを即座に表示せず、バッファに格納することを特徴とする復号化方法。
【請求項２】  前記復号化された非参照ピクチャを前記バッファに格納する際に、前記バッファに空きがない場合、前記バッファに格納された参照用でないピクチャのうち最も表示順序の古いピクチャを保持している領域を空きにした後に、前記復号化された非参照ピクチャを前記バッファに格納するようにしたことを特徴とする請求項１に記載の復号化方法。
【請求項３】  前記復号化された非参照ピクチャが即座に表示可能である場合は、前記復号化された非参照ピクチャを表示のために出力し、前記復号化された非参照ピクチャが即座に表示可能でない場合は、前記バッファに格納された復号化済みの他のピクチャを表示のために出力することを特徴とする請求項１に記載の復号化方法。
【請求項４】  前記ピクチャ符号化信号から復号化されたピクチャが、参照ピクチャであるか、非参照ピクチャであるかを識別し、
前記復号化されたピクチャが非参照ピクチャであるときに、前記判定、および、前記格納を実行することを特徴とする請求項１に記載の復号化方法。
【請求項５】  前記ピクチャ符号化信号から復号化されたピクチャが、参照ピクチャであるか、非参照ピクチャであるかを識別し、
前記復号化されたピクチャが参照ピクチャであるときに、
前記復号化された参照ピクチャを即座に表示せず、バッファに格納することを特徴とする請求項１に記載の復号化方法。
【請求項６】  前記復号化されたピクチャが参照ピクチャであるときに、
前記バッファに格納された復号化済みの他のピクチャを表示のために出力することを特徴とする請求項５に記載の復号化方法。
【請求項７】  前記復号化された非参照ピクチャは、前記バッファに予め格納された参照ピクチャを用いて復号化されたピクチャであることを特徴とする請求項１に記載の復号化方法。
【請求項８】  前記バッファ上で、非参照ピクチャであり、かつ即座に表示可能でないピクチャが格納されていた領域に参照ピクチャを格納することができ、参照ピクチャが格納されていた領域に非参照ピクチャであり、かつ即座に表示可能でないピクチャを格納することができることを特徴とする請求項１に記載の復号化方法。
【請求項９】  前記バッファは一定のサイズを有し、前記バッファ上で、非参照ピクチャであり、かつ即座に表示可能でないピクチャが格納されていた領域に参照ピクチャを格納することができ、参照ピクチャが格納されていた領域に非参照ピクチャであり、かつ即座に表示可能でないピクチャを格納することができることを特徴とする請求項１に記載の復号化方法。
【請求項１０】  複数のピクチャから構成される動画像のピクチャ符号化信号を復号化する復号化装置であって、
ピクチャ符号化信号からピクチャを復号化する手段と、
復号化されたピクチャを格納するバッファと、
復号化されたピクチャが非参照ピクチャであるとき、前記復号化された非参照ピクチャが即座に表示可能であるか否かを判定する手段と、
前記復号化された非参照ピクチャが即座に表示可能でない場合、前記復号化された非参照ピクチャを即座に表示せず、前記バッファに格納する手段とを有することを特徴とする復号化装置。
【請求項１１】  前記復号化された非参照ピクチャを前記バッファに格納する際に、前記バッファに空きがない場合、前記バッファに格納された参照用でないピクチャのうち最も表示順序の古いピクチャを保持している領域を空きにした後に、前記復号化された非参照ピクチャを前記バッファに格納するようにしたことを特徴とする請求項１０に記載の復号化装置。
【請求項１２】  前記復号化された非参照ピクチャが即座に表示可能である場合は、前記復号化された非参照ピクチャを表示のために出力し、前記復号化された非参照ピクチャが即座に表示可能でない場合は、前記バッファに格納された復号化済みの他のピクチャを表示のために出力する手段を有することを特徴とする請求項１０に記載の復号化装置。
【請求項１３】  前記ピクチャ符号化信号から復号化されたピクチャが、参照ピクチャであるか、非参照ピクチャであるかを識別する手段を有し、
前記復号化されたピクチャが非参照ピクチャであるときに、前記判定手段による判定、および、前記格納手段による格納を実行することを特徴とする請求項１０に記載の復号化装置。
【請求項１４】  前記ピクチャ符号化信号から復号化されたピクチャが、参照ピクチャであるか、非参照ピクチャであるかを識別する手段を有し、
前記復号化されたピクチャが参照ピクチャであるときに、
前記復号化された参照ピクチャを即座に表示せず、前記バッファに格納する手段とを有することを特徴とする請求項１０に記載の復号化装置。
【請求項１５】  前記復号化されたピクチャが参照ピクチャであるときに、
前記バッファに格納された復号化済みの他のピクチャを表示のために出力することを特徴とする請求項１４に記載の復号化装置。
【請求項１６】  前記復号化された非参照ピクチャは、前記バッファに予め格納された参照ピクチャを用いて復号化されたピクチャであることを特徴とする請求項１０に記載の復号化装置。
【請求項１７】  前記バッファ上で、非参照ピクチャであり、かつ即座に表示可能でないピクチャが格納されていた領域に参照ピクチャを格納することができ、参照ピクチャが格納されていた領域に非参照ピクチャであり、かつ即座に表示可能でないピクチャを格納することができることを特徴とする請求項１０に記載の復号化装置。
【請求項１８】  前記バッファは一定のサイズを有し、前記バッファ上で、非参照ピクチャであり、かつ即座に表示可能でないピクチャが格納されていた領域に参照ピクチャを格納することができ、参照ピクチャが格納されていた領域に非参照ピクチャであり、かつ即座に表示可能でないピクチャを格納することができることを特徴とする請求項１０に記載の復号化装置。
【請求項１９】  参照ピクチャが格納されたバッファ上の領域を、復号化済みの他のピクチャのために再利用可能な状態にする方法であって、
前記参照ピクチャの管理情報に、以後参照されなくなることを示す第１の情報を付加し、
前記参照ピクチャの管理情報に、出力済みであることを示す第２の情報を付加し、
前記第１の情報と前記第２の情報との両方が前記参照ピクチャ管理情報に付加された後に、前記再利用可能な状態にすることを特徴とするメモリ管理方法。
【請求項２０】  前記第１の情報の付加が前記第２の情報の付加よりも前にされたとき、前記第２の情報が付加された後に、前記状態にすることを特徴とする請求項１９に記載のメモリ管理方法。
【請求項２１】  前記第１の情報の付加が前記第２の情報の付加よりも後にされたとき、前記第１の情報が付加された後に、前記状態にすることを特徴とする請求項１９に記載のメモリ管理方法。
【請求項２２】  複数のピクチャから構成される動画像のピクチャ符号化信号を復号化する復号化装置であって、
ピクチャ符号化信号からピクチャを復号化する復号化手段と、
復号化されたピクチャを保存するバッファと、
前記復号化ピクチャを参照ピクチャとして参照するために前記バッファに保存すべきピクチャであるか否か、参照ピクチャとして以後参照されないピクチャが前記バッファ中にあるか否かを判断する参照ピクチャ管理ユニットと、
非参照ピクチャである復号化ピクチャが、即座に表示可能であるか、あるいは表示時刻まで前記バッファに格納する必要があるかを判断すると共に、前記バッファに格納されている復号化ピクチャが出力済みとなったか否かを判断する表示ピクチャ管理ユニットとを含み、
前記参照ピクチャ管理ユニットにおける判断結果と前記表示ピクチャ管理ユニットにおける判断結果に基づいて、前記バッファを管理することを特徴とする復号化装置。
【手続補正２】
【補正対象書類名】明細書
【補正対象項目名】００２６
【補正方法】変更
【補正の内容】
【００２６】
【課題を解決するための手段】
上記目的を達成するため、本発明の復号化方法は、複数のピクチャから構成される動画像のピクチャ符号化信号を復号化する復号化方法であって、ピクチャ符号化信号からピクチャを復号化し、復号化されたピクチャが非参照ピクチャであるとき、前記復号化された非参照ピクチャが即座に表示可能であるか否かを判定し、前記復号化された非参照ピクチャが即座に表示可能でない場合、前記復号化された非参照ピクチャを即座に表示せず、バッファに格納することを特徴とする。また、本発明の画像符号化方法は、ピクチャバッファに保持されている画像を参照しながら入力画像を予測符号化し、符号化された前記入力画像を復号化する画像符号化方法であって、復号化された画像について、参照用の画像であるか否か及び表示時刻まで保持が必要な出力用の画像であるかを判定し、判定結果に基づいて参照用の画像および出力用の画像を前記ピクチャバッファに保持させることを特徴とする。